(57)【要約】      （修正有）【課題】ポータブル式の設計を採用し、一酸化炭素の濃度を検出することで電子タバコの利用量を知り、健康監視の目的を達成する電子タバコ利用者の呼出気体の検出装置を提供する。【解決手段】検出装置は、ケーシング１０と、気体検出モジュール２０とを含み、ケーシングはボトムカバー１１と、トップカバー１２とを含み、ボトムカバーとトップカバーとの間に収容空間１４が形成され、トップカバーは呼出気体を通過させるための外部環境に連通する気体通路１２ｉを有し、気体検出モジュールは回路基板と、気体検出チップと、演算制御ユニットとを含み、気体検出チップは呼出気体と反応して計測信号を生成し、演算制御ユニットは計測信号に基づき、呼出気体に関連する一酸化炭素濃度を検出する。【選択図】図２
0003225325.tif 000002
【実用新案登録請求の範囲】
【請求項１】
電子タバコ利用者の呼出気体を検出して呼出気体の一酸化炭素濃度を読み取るために利用される電子タバコ利用者の呼出気体の検出装置において、
ボトムカバーと、前記ボトムカバーに接続されるトップカバーとを含み、前記ボトムカバーと前記トップカバーとの間に収容空間が形成され、前記トップカバーは前記呼出気体を通過させるための外部環境に連通する気体通路を有する、ケーシングと、回路基板と、前記回路基板に設けられ、前記呼出気体と反応して計測信号を生成する気体検出チップと、前記気体検出チップに接続されるように前記回路基板に設けられる演算制御ユニットとを含むように前記収容空間内に設けられる気体検出モジュールとを含み、ただし、前記演算制御ユニットは前記計測信号に基づき前記呼出気体に関連する一酸化炭素濃度を検出することを特徴とする電子タバコ利用者の呼出気体の検出装置。
【請求項２】
前記演算制御ユニットに接続されるように前記回路基板に設けられ、前記気体通路内の温度と湿度の計測又は制御を行う温度・湿度制御モジュールをさらに含むことを特徴とする請求項１に記載の検出装置。
【請求項３】
前記演算制御ユニットに接続されるように前記ケーシングに設けられるディスプレイをさらに含むことを特徴とする請求項１に記載の検出装置。
【請求項４】
前記演算制御ユニットに接続されるように前記回路基板に設けられるデータ記憶ユニットをさらに含み、前記データ記憶ユニットには複数の異なる喫煙指標が記憶され、前記演算制御ユニットは検出された前記呼出気体の一酸化炭素濃度に基づき、電子タバコ利用者に対応する前記喫煙指標を前記ディスプレイに表示することを特徴とする請求項３に記載の検出装置。
【請求項５】
前記演算制御ユニットに接続されるように前記回路基板に設けられるアナログデジタルコンバータをさらに含むことを特徴とする請求項１に記載の検出装置。
【請求項６】
前記演算制御ユニットに接続されるように前記回路基板に設けられ、前記計測信号を記憶するメモリユニットをさらに含むことを特徴とする請求項１に記載の検出装置。
【請求項７】
前記演算制御ユニットに接続されるように前記回路基板に設けられ、電源を提供する電源管理ユニットをさらに含むことを特徴とする請求項１に記載の検出装置。
【請求項８】
前記ケーシングを貫通して前記電源管理ユニットに接続される電源コードと、前記電源コードに接続される電源コネクタとをさらに含むことを特徴とする請求項７に記載の検出装置。
【考案の詳細な説明】
【技術分野】
【０００１】
本考案は、健康監視装置に関し、特に、電子タバコ利用者の呼出気体の検出装置に関する。
【背景技術】
【０００２】
近年、電子タバコの利用者数が増加するに伴い、電子タバコは従来の紙巻きタバコより利用者への悪影響が軽減されている、電子タバコを利用すると依然として悪影響は避けられない、など様々な意見が聞こえる。
【０００３】
電子タバコの構造は特許文献１に示すとおりである。当該実用新案は、ケーシングと、制御ユニットと、開閉部品と、ロッキング部品とを含む電子タバコ本体の開閉アセンブリを開示している。前記ケーシングは、内部空間と、少なくとも１つの軸方向開口とを有し、ケーシングの壁面に開閉孔が半径方向に貫設される。前記制御ユニットは、ケーシング内に設けられ、少なくとも１つの電気接続部を有し、各電気接続部の位置はケーシングの対応する開口と対応する。前記開閉部品は半径方向において移動可能にケーシングの開閉孔に貫設され、開閉部品には制御ユニットを選択的にトリガする導体からなるトリガ部品が設けられる。前記ロッキング部品は、ケーシングの片端に設けられ、ケーシングの軸を中心としてケーシングに対して回転でき、かつ、その軸方向の裏端はケーシング内に貫設され、半径方向において開閉部品と選択的に当接する受止め部が突出して設けられる。
【０００４】
電子タバコが利用者の健康に害を及ぼすかどうかについて、まだ結論が出ていないが、電子タバコの利用量を適宜制限することが必要である。現在、電子タバコの利用量を知るためには、採血の方式で計測するのが主流であり、利用者は自ら病院に行って長い時間待たなければならないため、効率が悪い。
【先行技術文献】
【特許文献】
【０００５】
【特許文献１】台湾実用新案第ＴＷＭ４７６４８１号明細書
【考案の概要】
【考案が解決しようとする課題】
【０００６】
本考案は、従来技術では電子タバコ利用者の利用量を速やかに知ることができないという問題を解決することを目的としている。
【課題を解決するための手段】
【０００７】
本考案は、上記の目的を達成するためになされたものであって、電子タバコの利用者の呼出気体を検出して呼出気体の一酸化炭素濃度を読み取るために利用される電子タバコ利用者の呼出気体の検出装置を提供し、当該検出装置はケーシングと、気体検出モジュールとを含み、当該ケーシングはボトムカバーと、当該ボトムカバーに接続されるトップカバーとを含み、当該ボトムカバーと当該トップカバーとの間に収容空間が形成され、当該トップカバーは呼出気体を通過させるための外部環境に連通する気体通路を有する。
【０００８】
当該気体検出モジュールは当該収容空間内に設けられ、当該気体検出モジュールは回路基板と、気体検出チップと、演算制御ユニットとを含み、当該気体検出チップは当該回路基板に設けられ、呼出気体と反応して計測信号を生成し、当該演算制御ユニットは当該気体検出チップに接続されるように当該回路基板に設けられ、当該演算制御ユニットは当該計測信号に基づき呼出気体に関連する一酸化炭素濃度を検出する。
【考案の効果】
【０００９】
加熱式電子タバコを利用する場合は、呼出気体の一酸化炭素濃度は代表的な特徴の１つである。本考案はこれに鑑みてなされたものであり、電子タバコ利用者の呼出気体の検出装置を提供する。当該検出装置は、ポータブル式の設計を採用し、電子タバコ利用者の呼出気体の一酸化炭素濃度を速やかに知り、そして利用量を把握することができるため、注意喚起と監視の目的を達成できる。
【図面の簡単な説明】
【００１０】
【図１】図１は、本考案の一実施例の検出装置に係るケーシング構造の組み合わせを概略的に示す図である。
【図２】図２は、本考案の一実施例の検出装置に係るケーシング構造の分解を概略的に示す図である。
【図３】図３は、本考案の一実施例の検出装置に係る気体検出モジュールの構成を概略的に示すブロック図である。
【考案を実施するための形態】
【００１１】
以下、本考案の詳細な技術内容を、関連の各図を参照して説明する。
図１及び図２に示すように、本考案は電子タバコの利用者の呼出気体を検出して呼出気体の一酸化炭素濃度を読み取るために利用される電子タバコ利用者の呼出気体の検出装置を提供する。当該検出装置は、ケーシング１０と、気体検出モジュール２０と、底板３０とを含み、ケーシング１０はボトムカバー１１と、トップカバー１２と、カバープレート１３とを含み、トップカバー１２とボトムカバー１１は互いに接続され、且つ、両者の間に収容空間１４が形成され、カバープレート１３はトップカバー１２の上面に設けられ、トップカバー１２は気体通路１２ｉを有し、カバープレート１３は呼出気体を通過させて収容空間１４に入れるための、気体通路１２ｉに対応する開口１３ｉを有する。
【００１２】
図３に示すように、底板３０は気体検出モジュール２０を載置するように収容空間１４内に設けられ、気体検出モジュール２０は回路基板２１と、気体検出チップ２２と、演算制御ユニット２３と、温度・湿度制御モジュール２４と、データ記憶ユニット２５と、アナログデジタルコンバータ２６と、メモリユニット２７と、電源管理ユニット２８とを含む。
【００１３】
気体検出チップ２２、演算制御ユニット２３、温度・湿度制御モジュール２４、データ記憶ユニット２５、アナログデジタルコンバータ２６、メモリユニット２７及び電源管理ユニット２８は、いずれも回路基板２１に設けられ、かつ、回路基板２１を介して互いに電気的に接続される（図３に示されていない）。気体検出チップ２２は気体通路１２ｉに露出され、これによって開口１３ｉより気体通路１２ｉに入る呼出気体と反応して呼出気体の少なくとも１つの化学成分に関連する計測信号を生成し、本実施例に係る検出装置において、当該化学成分は一酸化炭素である。演算制御ユニット２３は気体検出チップ２２に電気的に接続され、演算制御ユニット２３は当該計測信号に基づき、呼出気体の対応する一酸化炭素濃度を算出する。本実施例に係る検出装置において、気体検出チップ２２は加熱電極と、インターデジタル回路と、コーティングフィルムとを含み、当該インターデジタル回路は金属酸化還元材料を含む。
【００１４】
温度・湿度制御モジュール２４は演算制御ユニット２３に電気的に接続され、気体通路１２ｉ内の温度と湿度の計測と制御を行い、温度と湿度を知った又は温度と湿度を変更した後、演算制御ユニット２３は修正を加えて一酸化炭素濃度をより正確に算出できる。利用者が気体を吹き出す時、呼出気体は温度と湿度が高いため、検出の正確度が影響される。従って、気体検出チップ２２で検出する時、温度と湿度を所定の範囲に制限する必要がある。例えば、温度を４５〜６０℃に制限するのが好ましく、例えば、４５〜５０℃に制限する。
【００１５】
データ記憶ユニット２５は演算制御ユニット２３に電気的に接続され、データ記憶ユニット２５には、異なる一酸化炭素濃度又は範囲に対応する複数の喫煙指標が記憶されている。アナログデジタルコンバータ２６、メモリユニット２７及び電源管理ユニット２８はそれぞれ演算制御ユニット２３に電気的に接続され、アナログデジタルコンバータ２６は演算制御ユニット２３が当該計測信号に対するアナログ−デジタルデータ変換を行うために用いられ、メモリユニット２７は当該計測信号を記憶するために用いられ、電源管理ユニット２８は各ユニット又は素子に必要な電力を提供する。一実施例に係る検出装置において、気体検出モジュール２０はブルートゥース（登録商標）モジュールをさらに含み、当該ブルートゥース（登録商標）モジュールは当該計測信号及び／又は当該計測信号に関連するデータや資料などを外部に伝送して、必要な情報処理に供するか、又はコマンドを受信するために用いられる。図１及び図２に示すように、本考案は電源コード４０と、電源コネクタ４１とをさらに含んでもよく、電源コード４０はケーシング１０を貫通し、かつ、電源管理ユニット２８に接続され、電源コネクタ４１は電源コード４０に接続される。
【００１６】
一実施例に係る検出装置において、当該検出装置はディスプレイをさらに含む。当該ディスプレイは演算制御ユニット２３に接続されるようにケーシング１０に設けられてもよく、これによって呼出気体に対応する一酸化炭素濃度又は喫煙指標を表示する。当該喫煙指標は呼出気体の一酸化炭素濃度によって、「重度電子タバコ利用者」、「中重度電子タバコ利用者」、「中度電子タバコ利用者」、「毎日定時電子タバコ利用者」、「潜在電子タバコ利用者」、「非電子タバコ利用者（１〜２日電子タバコ不利用者）」を含み、そして演算制御ユニット２３は、検出された呼出気体の一酸化炭素濃度に基づき、電子タバコ利用者に対応する当該喫煙指標を当該ディスプレイに表示する。対応の関係は表１に示すとおりである。
【００１７】
【表１】
0003225325.tif 000003
【００１８】
加熱式電子タバコを利用する場合は、呼出気体の一酸化炭素濃度は代表的な特徴の１つである。本考案はこれに鑑みてなされたものであり、電子タバコ利用者の呼出気体の検出装置を提供する。当該検出装置は、ポータブル式の設計を採用し、電子タバコ利用者の呼出気体の一酸化炭素濃度を速やかに知り、そして利用量を把握することができるため、注意喚起と監視の目的を達成できる。
【符号の説明】
【００１９】
１０                        ケーシング
１１                        ボトムカバー
１２                        トップカバー
１２ｉ                      気体通路
１３                        カバープレート
１３ｉ                      開口
１４                        収容空間
２０                        気体検出モジュール
２１                        回路基板
２２                        気体検出チップ
２３                        演算制御ユニット
２４                        温度・湿度制御モジュール
２５                        データ記憶ユニット
２６                        アナログデジタルコンバータ
２７                        メモリユニット
２８                        電源管理ユニット
３０                        底板
４０                        電源コード
４１                        電源コネクタ
【図１】
0003225325.tif 000004
【図２】
0003225325.tif 000005
【図３】
0003225325.tif 000006